【事件の表示】
　平成　４年特許願第１７４７８１号「バーコード印刷装置」拒絶査定に対する審判事件［平成　５年１２月２４日出願公開、特開平　５−３４２３８６］について、次のとおり審決する。
【結　論】
　本件審判の請求は、成り立たない。
【理　由】
１．手続の経緯・本願発明
　本願は、平成４年６月８日の出願であって、その請求項１に係る発明（以下、「本願発明」という。）は、平成１４年５月１３日付けの手続補正書により補正された明細書及び図面の記載からみて、特許請求の範囲の請求項１に記載されたとおりの次のものと認める。
「文字や記号及び種々の指令を入力する為の入力手段と、
　この入力手段から入力される文字や記号及びバーコードのデータを記憶するデータ記憶手段であって２次電池でバックアップされたデータ記憶手段と、
　このデータ記憶手段のデータを受けて表示するディスプレイを有する表示手段と、
　複数のドット状の印字素子からなる印字ヘッドを有する印刷手段を備え、
印字媒体にバーコードを印刷可能なバーコード印刷装置であって、
　バーコードデータを入力可能なバーコード入力モードを設定するためのモード設定手段と、
　そのモード設定手段でバーコード入力モードが設定された時、所定の操作に応じて前記データ記憶手段から前記バーコードのデータを受けて、そのバーコードのデータ内容を表す数字や記号を、前記表示手段のディスプレイに表示させると共に、当該バーコードのデータを第１入力値として提示するバーコード入力値提示手段と、
　そのバーコード入力値提示手段により提示された第１入力値を少なくとも部分的に変更可能とするバーコード入力値変更手段と
を備えたことを特徴とするバーコード印刷装置。」
　なお、平成１１年７月１６日付けの手続補正は、平成１３年１１月２６日付けで却下された。
　
２．引用例
　これに対して、当審において平成１４年３月５日付けで通知した拒絶の理由に引用した特開平４−４４８８０号公報（平成４年２月１４日出願公開、以下「引用例１」という。）、特開昭６１−２７４５５３号公報（昭和６１年１２月４日出願公開、以下「引用例２」という。）には、それぞれ、次の事項が記載されている。
　
［引用例１］
Ａ．「本発明は、・・・（中略）・・・各種データを記号、数字あるいはバーコードとして印刷するラベラーに関するものである。」（第１頁右下欄第９〜１２行）
Ｂ．「第２図を参照しつつ本発明における一実施例を説明する。・・・（中略）・・・
　ＲＡＭ１２は、キーボード２４により入力されたデータを格納し、あるいは一旦格納されたデータを呼び出して修正等をするためのメモリである。
　・・・（中略）・・・また、メモリ１１ないし１４の内の主要な記憶内容が失われないようにメモリバックアップ電池１９を有し、前記同様に電圧検出回路２０によりその電圧が監視されて、所定以下の電圧になった場合には、ブザー２６等の警報機により使用者に知らせる。
　・・・（中略）・・・キーボード２４は、所定の記号、数字、あるいはバーコードに関するデータを入力する。
　当該データは、前記ＲＡＭ１２または１４に格納されると共に、液晶表示部３２に表示される。
　・・・（中略）・・・印刷機２８は、たとえば、サーマルヘッドを使用するプリンタからなり、ドライバ２７の駆動により入力されたデータを印刷することができる。」（第３頁左上欄第１２行〜左下欄第１７行、及び第２図参照）
Ｃ．「以上のような構成のラベラーの動作を第３図（Ｉ）、（II）、（III）のフローチャートを参照しつつ説明する。
　・・・（中略）・・・
　バーコードデータの入力にミスがある場合には、クリアまたはホームバックキーによりバーコードデータをクリアしてキーボード２４により入力をやり直す（ステップ(13)ないし(15)）。
　バーコードデータの入力に当たっては入力データが液晶表示部３２に表示され、所定桁数分の入力が行われ、確認が行われる。（ステップ(16)ないし(19)）。
　・・・（中略）・・・
　液晶表示部３２に表示されたバーコードデータを見ながらキーボード２４により正しいバーコードデータを入力する（ステップ(48)）。
　バーコード入力をやり直す場合には、バーコードデータをクリアしてステップ(48)に戻る（ステップ(49)ないし(51)）。」（第３頁右下欄第１７行〜第５頁右上欄第１行、及び第３図参照）
　
　上記Ａ〜Ｃの記載事項、及び第２、３図を参照すると、引用例１には次の発明（以下、「引用例１記載の発明」という。）が記載されているものと認められる。
　記号や数字及び種々の指令を入力する為のキーボード２４と、このキーボード２４から入力される記号や数字及びバーコードのデータを記憶するＲＡＭ１２であってメモリバックアップ電池１９でバックアップされたＲＡＭ１２と、このＲＡＭ１２のデータを表示する液晶表示部３２を有する表示手段と、サーマルヘッドを有する印刷機２８を備え、ラベルにバーコードを印刷可能なラベラーであって、
　バーコードのデータを修正する手段を有するラベラー。
　
［引用例２］
「自動ダイヤル機能付電話機」に関し、次の記載がなされている。
「電話機使用者が送受器をオフフックしてダイヤルボタン２を操作した結果、電話番号の一部が誤まって入力されたものとする。
これを訂正変更するには、一旦送受器１をオンフックする。そして再発信ボタン５を押す。ＣＰＵ８はダイヤルボタン２が押されると送受器１がオンフックされるまで、押された順に再発信メモリ９に電話番号を記憶させる。
送受器１がオンフックされた状態で再発信ボタン５が押されると、ＣＰＵ８は再発信メモリ９に記憶された電話番号の全桁を表示器３に表示させるとともに１桁目の数字の下にカーソルを表示させる。
使用者がカーソル移動キー６を押すとＣＰＵ８はそれに従ってカーソルの表示位置を変更させる。これにより変更すべき数字の下にカーソルを移動させることができる。
そこで、使用者が正しい数字のダイヤルボタン２を押すとＣＰＵ８はダイヤルボタン２が押される前にカーソルの表示されていた桁の表示を正しい数字に変更するとともにカーソルを次の桁に移動する。次に変更すべき数字がある場合、カーソルがその位置にあればそのまま、移動する必要があるときは再度、カーソル移動ボタン６を押して変更すべき数字の下にカーソルを移動させ、上記と同様、正しい数字をダイヤルボタン２で入力する。このように表示器に表示された電話番号のうち表示上の変更のあった数字については同時に再発信メモリ９に記憶されているその数字も書直される。」（第２頁左下欄第１９行〜第３頁左上欄８行、及び第１、２図参照）
　
　上記記載事項、及び第１、２図を参照すると、引用例２には次の発明（以下、「引用例２記載の発明」という。）が記載されているものと認められる。
　データを入力可能なモードを設定するためのモード設定手段（上記記載においては、電話機使用者が送受器をオフフックすることにより、ダイヤルボタン２の操作による電話番号データの入力が可能となることが該当する。）と、該モードが設定された時、所定の操作に応じてデータ記憶手段から前記データを受けて、そのデータ内容を表す数字を、表示手段のディスプレイに表示させると共に、当該データを第１入力値として提示する入力値提示手段（上記記載においては、電話番号データの入力時に電話番号の一部を誤まって入力した場合、再発信ボタン５を押すという所定の操作に応じて再発信メモリ９に記憶された電話番号の全桁を表示器３に表示させることが該当する。）と、その提示された第１入力値を少なくとも部分的に変更可能とする入力値変更手段（上記記載においては、表示された電話番号データを、カーソルを移動させて部分的に変更させることが該当する。）とを備えた装置。
　
３．対比
　そこで、本願発明と引用例１記載の発明とを対比すると、まず、引用例１記載の発明における「キーボード２４」、「ＲＡＭ１２」、「液晶表示部３２」、「サーマルヘッド」、「印刷機２８」、「ラベル」、「ラベラー」は、それぞれ、本願発明における「入力手段」、「データ記憶手段」、「ディスプレイ」、「複数のドット状の印字素子からなる印字ヘッド」、「印刷手段」、「印字媒体」、「バーコード印刷装置」に対応する構成であるものと認められる。
　また、引用例１記載の発明における「メモリバックアップ電池１９」と、本願発明における「２次電池」は、共に電池であることには変わりない。
　さらに、引用例１記載の発明におけるバーコードのデータを修正する手段と、本願発明における「バーコード入力値提示手段により提示された第１入力値を少なくとも部分的に変更可能とするバーコード入力値変更手段」は、共にバーコードのデータを修正する手段であることには変わりない。
　よって、本願発明と引用例１記載の発明とは、
　記号及び種々の指令を入力する為の入力手段と、
　この入力手段から入力される記号及びバーコードのデータを記憶するデータ記憶手段であって電池でバックアップされたデータ記憶手段と、
　このデータ記憶手段のデータを受けて表示するディスプレイを有する表示手段と、
　複数のドット状の印字素子からなる印字ヘッドを有する印刷手段を備え、
印字媒体にバーコードを印刷可能なバーコード印刷装置であって、
　バーコードのデータを修正する手段
を備えたバーコード印刷装置
である点で一致し、次の点が相違する。
　相違点（１）：本願発明においては、「入力手段」が「文字」をも入力するものであり、「データ記憶手段」が「文字」をも記憶するものであるのに対し、引用例１記載の発明においては、「キーボード２４」が「文字」をも入力するものであるとはされておらず、「ＲＡＭ１２」が「文字」をも記憶するものであるとはされていない点。
　相違点（２）：電池が、本願発明においては、「２次電池」であるとされているのに対し、引用例１記載の発明においては、「２次電池」であるかどうかが明らかでない点。
　相違点（３）：本願発明においては、「バーコードデータを入力可能なバーコード入力モードを設定するためのモード設定手段と、そのモード設定手段でバーコード入力モードが設定された時、所定の操作に応じて前記データ記憶手段から前記バーコードのデータを受けて、そのバーコードのデータ内容を表す数字や記号を、前記表示手段のディスプレイに表示させると共に、当該バーコードのデータを第１入力値として提示するバーコード入力値提示手段と、そのバーコード入力値提示手段により提示された第１入力値を少なくとも部分的に変更可能とするバーコード入力値変更手段と」を備えるのに対し、引用例１記載の発明においては、上記のような具体的構成を備えていない点。
　
４．当審の判断
　上記相違点（１）〜（３）について検討する。
［相違点（１）について］
　一般に、データ入力手段から入力するデータ、及びデータ記憶手段に記憶するデータとして、「記号」、「数字」以外に「文字」をも対象とすることは、ごく普通に行われていることにすぎないから、引用例１記載の発明において、「キーボード２４」を、「文字」をも入力するものとし、「ＲＡＭ１２」を、「文字」をも記憶するものとすることは、当業者が必要に応じて適宜になし得ることにすぎないものと認められる。
　
［相違点（２）について］
　メモリのバックアップ電池として「２次電池」を用いることは、ごく普通に行われていることにすぎないから、引用例１記載の発明において、「メモリバックアップ電池１９」を「２次電池」とすることは、当業者が適宜になし得ることにすぎないものと認められる。
　
［相違点（３）について］
　上記引用例２記載の発明は、「自動ダイヤル機能付電話機」において電話番号データを入力する際の入力データの修正に関する発明であるが、一旦入力したデータを修正するにあたり、全てをクリアして初めから入力し直すのではなく、既に入力したデータを表示させて一部の修正だけを施すという、入力データの修正に関する技術としては、引用例１記載の発明におけるバーコードデータについての入力データを修正する技術と共通するものである。
　よって、入力データを修正する技術について引用例１記載の発明に対して引用例２記載の発明を適用することにより、引用例１記載の発明におけるバーコードのデータを修正するための具体的構成として、「バーコードデータを入力可能なバーコード入力モードを設定するためのモード設定手段と、そのモード設定手段でバーコード入力モードが設定された時、所定の操作に応じて前記データ記憶手段から前記バーコードのデータを受けて、そのバーコードのデータ内容を表す数字や記号を、前記表示手段のディスプレイに表示させると共に、当該バーコードのデータを第１入力値として提示するバーコード入力値提示手段と、そのバーコード入力値提示手段により提示された第１入力値を少なくとも部分的に変更可能とするバーコード入力値変更手段と」を備えるようにすることは、当業者が適宜に設計できる事項であるものと認められる。
　
　そして、本願発明の構成によってもたらされる効果も、引用例１、２に記載の発明から当業者ならば容易に予測することができる程度のものであって、格別のものとはいえない。
　
５．むすび
　したがって、本願発明は、引用例１、２に記載の発明に基いて、当業者が容易に発明をすることができたものであるので、特許法第２９条第２項の規定により特許を受けることができない。
　よって、結論のとおり審決する。